(57)【特許請求の範囲】
【請求項１】
潜在意識を言語化するコンピュータ用潜在意識検索プログラムであって、
コンピュータを、
思いつく言葉を出来るだけ多くコンピュータに入力させるためのメッセージ表示手段、
入力された複数の言葉を格納する入力言語格納手段、
前記入力言語格納手段に格納された言葉を２つずつ順番に選択して画面に表示し、この２つの言葉から思いつく１つの言葉をユーザーに入力させるための入力欄を表示する第１フエイズ選択表示手段、
前記第１フエイズ選択表示手段で入力された言葉を格納する第１フエイズ入力言語格納手段、
前のフエイズで格納された言語を２つずつ順番に選択して画面に表示し、この２つの言葉から思いつく１つの言葉をユーザーに入力させるための入力欄を表示する各フエイズ選択表示手段、
前記各フエイズ選択表示手段に入力された言葉を格納する各フエイズ入力言語格納手段、
前記各フエイズ入力言語格納手段に格納された言葉が１つか否か判断する最終ワード判断手段、
前記最終ワード判断手段の判断に基づき前記各フエイズ入力言語格納手段の中の１つの言葉を格納する入力言語格納手段の言葉を最終ワードとして画面に表示する最終ワード表示手段、
として機能させたことを特徴とするコンピュータ用潜在意識検索プログラム。
【請求項２】
前記メッセージ表示手段は、思いつく言葉として形容詞をコンピュータに入力させるためのメッセージを表示するようにしたことを特徴とする請求項１に記載のコンピュータ用潜在意識検索プログラム。
【請求項３】
前記第１フエイズ選択表示手段及び前記各フエイズ選択表示手段は思いつく言葉として名詞をコンピュータに入力させるためのメッセージを表示するようにしたことを特徴とする請求項２に記載のコンピュータ用潜在意識検索プログラム。
【請求項４】
前記第１及び各フエイズ選択表示手段において、１つの言葉が残ったときは、残った１つの言葉をそのまま対応するフエイズの入力言語格納手段に格納し、次のフエイズの選択表示手段における２つの言葉の組み合わせに使用するようにしたことを特徴とする請求項１に記載のコンピュータ用潜在意識検索プログラム。
【請求項５】
前記最終ワードをキーワードとして、該最終ワードをインターネットのホームページにリンクさせたことを特徴とする請求項１に記載のコンピュータ用潜在意識検索プログラム。
【発明の詳細な説明】
【技術分野】
【０００１】
本発明は潜在意識を言語化するコンピュータ用潜在意識検索プログラムに関する。
【背景技術】
【０００２】
潜在意識の問題は純粋に学問的なものであり、コンピュータは、潜在意識の研究分野において、データーの収集、整理等の補助的なツールとして使用されている。潜在意識とは、自覚されることなく、行動や考え方に影響を与える意識、心の奥深い層に潜んだ意識のことである。このような学問的な研究対象である潜在意識を簡単に言葉としてゲーム感覚で明瞭に提示してくれるコンピュータソフトは従来存在しなかった。
【発明の開示】
【発明が解決しようとする課題】
【０００３】
普段、人はたった１０％未満の脳で悩み、問題の解決をしていると言われている。そのため、なかなか思うように問題が解決されず、いつまでも問題だけが頭の中をぐるぐるとまわり、そのうちわけがわからなくなって、時が解決してくれるのを待つといったのが現状である。このようなとき、潜在意識を簡単に知ることができれば、問題解決に役立つことになる。本発明は、行動や思考、記憶、価値観などを蓄積している潜在意識を簡単にユーザーから引き出し、言語化してユーザーに提供することを目的とするものである。
【課題を解決するための手段】
【０００４】
上記目的を達成するため、本発明は、潜在意識を言語化するコンピュータ用潜在意識検索プログラムであって、
コンピュータを、
思いつく言葉を出来るだけ多くコンピュータに入力させるためのメッセージ表示手段、
入力された複数の言葉を格納する入力言語格納手段、
前記入力言語格納手段に格納された言葉を２つずつ順番に選択して画面に表示し、この２つの言葉から思いつく１つの言葉をユーザーに入力させるための入力欄を表示する第１フエイズ選択表示手段、
前記第１フエイズ選択表示手段で入力された言葉を格納する第１フエイズ入力言語格納手段、
前のフエイズで格納された言語を２つずつ順番に選択して画面に表示し、この２つの言葉から思いつく１つの言葉をユーザーに入力させるための入力欄を表示する各フエイズ選択表示手段、
前記各フエイズ選択表示手段に入力された言葉を格納する各フエイズ入力言語格納手段、
前記各フエイズ入力言語格納手段に格納された言葉が１つか否か判断する最終ワード判断手段、
前記最終ワード判断手段の判断に基づき前記各フエイズ入力言語格納手段の中の１つの言葉を格納する入力言語格納手段の言葉を最終ワードとして画面に表示する最終ワード表示手段、
として機能させたものである。
また本発明は、前記メッセージ表示手段は、思いつく言葉として形容詞をコンピュータに入力させるためのメッセージを表示するようにしたものである。
また本発明は、前記第１フエイズ選択表示手段及び前記各フエイズ選択表示手段は思いつく言葉として名詞をコンピュータに入力させるためのメッセージを表示するようにしたものである。
また本発明は、前記第１及び各フエイズ選択表示手段において、１つの言葉が残ったときは、残った１つの言葉をそのまま対応するフエイズの入力言語格納手段に格納し、次のフエイズの選択表示手段における２つの言葉の組み合わせに使用するようにしたものである。
また本発明は、前記最終ワードをキーワードとして、該最終ワードをインターネットのホームページにリンクさせたものである。
【発明の効果】
【０００５】
本発明はユーザーから簡単に潜在意識を引き出すことができる。
【発明を実施するための最良の形態】
【０００６】
以下に本発明の構成を添付した図面を参照して詳細に説明する。
本発明にかかるプログラムは、メッセージ表示部２と、スタート時の入力言語を格納する入力言語格納部４と、スタート時に入力された複数の言語を、順番に一対ずつ選択して表示する第１フエイズ選択表示部６と、第１フエイズ選択表示部６が表示した一対の言語に関連する入力言語を格納する第１フエイズ入力言語格納部８と、前のフエイズの入力言語格納部に格納された複数の言語を順番に一対ずつ選択して表示する各フエイズ選択表示部１０と、各フエイズ選択表示部１０が表示した一対の言語に関連する入力言語を格納する各フエイズ入力言語格納部１２と、各フエイズの入力言語格納部１２の言語が１つか否か判断する最終ワード判断部１４と、最終フエイズの格納部に格納された言語を表示する最終ワード表示部１６と、各フエイズ選択表示部１０において、一対の組み合わせができないときに、次のフエイズに余った言語を繰り越すパス判断部１８と、インターネット接続部２０と、サイト検索部２２と、これらを制御する制御部２４とから構成されている。
【０００７】
本プログラムは、携帯電話のコンピュータやパソコン等のコンピュータにインストールされて使用される。
次に、コンピュータにインストールされた本プログラムの動作を、図２に示すフローチャートを参照して説明する。
本プログラムをスタートさせると（ステップ１）、コンピュータの画面にメッセージ表示部２により、ユーザーに対して次のメッセージが表示される（ステップ２）。「貴方の思い付く形容詞をできるだけ多く（１０個以上２０個以内）順番に入力して下さい。形容詞間は「、」で区切って下さい。入力が完了したら“完了ボタン”を押して下さい。」次に、画面が言語入力欄に切り換わる（ステップ３）。
【０００８】
ユーザーは、画面の入力欄に、例えば、蒸し暑い、冷たい、ぬるい、・・・・・・サラサラな、と、順次形容詞を入力し、完了ボタンを押す。最初に形容詞が入力されるようにするのは、思い浮かんだ状況を表すのに形容詞が最も相応しいからである。入力言語格納部４は、完了ボタンが押されたか否か判断し（ステップ４）、肯定を判断すると、入力された形容詞を入力言語格納部４に格納する（ステップ５）。次に、画面は第１フェイズに移行する。第１フエイズ選択表示部６は、最初の２つの形容詞とこれらの連想語を入力するための言語入力欄を表示し、次のメッセージＡを表示する（ステップ６）。
【０００９】
「これら２つの言葉から思い付く名詞を入力欄に１つ入力し、“完了ボタン”を押して下さい。画面に、最初の２つの形容詞、“蒸し暑い”、“冷たい”が表示され、ユーザーが入力欄に、例えば、名詞“季節”を入力すると、この連想語“季節”は第１フエイズ入力言語格納部８に格納される（ステップ７）。次に、第１フエイズ選択表示部６は、次の２つの形容詞“ぬるい” “甘い”を表示し、メッセージＡを表示する（ステップ８）。ユーザーによって、連想語、例えば“味”が入力されると、この連想語は、第１フエイズ入力言語格納部８に格納される（ステップ９）。
【００１０】
次に、第１フエイズ選択表示部６は、入力言語格納部４にまだ２つ以上の形容詞があるか否か判断し（ステップ１０）、肯定を判断すると、ステップ８に戻る。否定を判断すると、残りの形容詞の数が１か０か判断する（ステップ１１）。０の場合には、第２フェイズに移行し、第１フエイズ入力言語格納部６に格納されている複数の名詞の中、最初の２つの名詞を表示し、これにメッセージＡを付加するとともに、画面に、連想語を入力するための言語入力欄を表示する（ステップ１２）。ステップ１１で１を判断すると、パス判断部１８は、残った１つの形容詞を「ＳＩＮＧＬＥ ＷＯＲＤ」の記号を付して、第１フエイズ入力言語格納部８に名詞として保管し（ステップ１３）、ステップ１２に移行する。
【００１１】
「ＳＩＮＧＬＥ ＷＯＲＤ」は、ステップ１２における一対の組み合わせの最終言語として使用される。ステップ１２で入力された名詞は、各フエイズ入力言語格納部１２のうち、第２フエイズ入力言語格納部に格納される（ステップ１４）。ステップ１２では、第１フエイズ入力言語格納部８の２つの名詞を順番に表示し、次のメッセージＢを表示する。「これら２つの言葉から思い付く名詞を入力し、“完了ボタン”を押して下さい」ユーザーから、１つの名詞が入力されると、入力された名詞は、各フエイズ入力言語格納部１２のうち第２フエイズ入力言語格納部に格納される（ステップ１４）。
【００１２】
次に第２フエイズ選択表示部は、第１フエイズ入力言語格納部８に２つ以上の名詞があるか否か判断し（ステップ１５）、肯定を判断するとステップ１２に戻る。ステップ１５で否定を判断すると、第１フエイズ入力言語格納部８の中の残りの名詞の数が１か０か判断する（ステップ１６）。０の場合、第２フエイズの入力言語格納部の残りの名詞の数が１か否か判断し（ステップ１７）、１の場合、最終ワードとして表示し（ステップ１８）、プログラムを完了する（ステップ１９）。ステップ１６において、１を判断すると、パス判断部１８は、残った１つの名詞を、これに「ＳＩＮＧＬＥ ＷＯＲＤ」の記号を付して、各フエイズ入力言語格納部１２の中の、第２フエイズ入力言語格納部に保管し（ステップ２０）、第３フェイズであるステップ２１に移行する。
【００１３】
「ＳＩＮＧＬＥ ＷＯＲＤ」は、ステップ２１における一対の組み合わせの最終言語として使用される。ステップ２１では、第２フエイズ入力言語格納部の２つの名詞を表示し、次のメッセージを表示する。「これら２つの言葉から思い付く名詞を入力し、“完了ボタン”を押して下さい」ユーザーから、１つの名詞が入力されると、入力された名詞は、各フエイズ入力言語格納部１２のうちの第３フエイズ入力言語格納部に格納される（ステップ２２）。次に各フエイズ選択表示部１０の中の、第３フエイズ選択表示部は、前のフエイズの第２フエイズ入力言語格納部にまだ２つ以上の名詞があるか否か判断し、（ステップ２３）、肯定を判断するとステップ２１に戻る。否定を判断すると、第２フエイズ入力言語格納部の中の残りの名詞の数か１か０か判断する（ステップ２４）。
【００１４】
０の場合、各フエイズ入力言語格納部１２の中の、第３フエイズの入力言語格納部の残りの名詞の数が１か否か判断し（ステップ２５）、１の場合、最終ワードとして表示し（ステップ２６）、プログラムを完了する（ステップ２７）。ステップ２４において、１を判断すると、パス判断部１８は、残った１つの名詞を、これに「ＳＩＮＧＬＥ ＷＯＲＤ」の記号を付して、第３フエイズ入力言語格納部に保管（ステップ２８）し、第４フェイズであるステップ２９に移行する。「ＳＩＮＧＬＥ ＷＯＲＤ」は、ステップ２９における一対の組み合わせの最終言語として使用される。
【００１５】
第４フェイズのステップ２９では、各フェイズ選択表示部１０の中の、第４フェイズ選択表示部が第３フエイズ入力言語格納部の２つの名詞を順に選択して表示し、次のメッセージを表示する。「これら２つの言葉から思い付く名詞を入力し、“完了ボタン”を押して下さい」ユーザーから、１つの名詞が入力されると、入力された名詞は、各フエイズ入力言語格納部１２のうちの第４フエイズに格納される（ステップ３０）。次に第４フエイズ選択表示部は、第３フエイズ入力言語格納部にまだ２つ以上の名詞があるか否か判断し、（ステップ３１）、肯定を判断するとステップ２９に戻る。否定を判断すると、第３フエイズ入力言語格納部の中の残りの名詞の数か１か０か判断する（ステップ３２）。
【００１６】
０の場合、最終ワード判断部１４は、第４フエイズの入力言語格納部の残りの名詞の数が１か否か判断し（ステップ３３）、１の場合、最終ワード表示部１６は残りの名詞を最終ワードとして表示し（ステップ３４）、プログラムを完了する（ステップ３５）。ステップ３２において、１を判断すると、パス判断部１８は、残った１つの名詞を「ＳＩＮＧＬＥ ＷＯＲＤ」の記号を付して、各フエイズ入力言語格納部１２の中の、第４フエイズ入力言語格納部に保管し（ステップ３６）、第５フェイズであるステップ３７に移行する。
【００１７】
「ＳＩＮＧＬＥ ＷＯＲＤ」は、第５フェイズのステップ３７における一対の組み合わせの最終言語として使用される。ステップ３７では、第４フエイズ入力言語格納部の２つの名詞を表示し、次のメッセージを表示するとともに連想語入力欄を表示する。「これら２つの言葉から思い付く名詞を入力し、“完了ボタン”を押して下さい」ユーザーから、連想語入力欄に１つの名詞が入力されると、入力された名詞は、最終ワード表示部１６により最終ワードとして表示され（ステップ３８）、プログラムが完了する（ステップ３９）。最終ワードはインターネット検索サイトにリンクしており、ユーザーは、最終ワードをキーワードとして、最終ワードに関連するＷｅｂサイトにアクセスすることができる。
【００１８】
尚、本実施形態では、最初の形容詞の数を２０個以内とするプログラムとしたが、特に２０個以内に限定されるものではなく、それ以上を対象とするプログラムとすることが可能である。
次に本プログラムの具体的な使用例について以下に説明する。
ユーザーは、スタート画面に、頭に浮かんだ言葉を形容詞の形で入力する。
入力した形容詞が次の２０個であるとする。
１．「蒸し暑い」２．「冷たい」３．「ぬるい」４．「甘い」５．「暗い」６．「苦い」７．「うすい」８．「すっぱい」９．「ねっちりとした」１０．「ドロドロとした」１１．「トローリとした」１２．「痛い」１３．「まずい」１４．「旨い」１５．「うるさい」１６．「悲しい」１７．「嬉しい」１８．「楽しい」１９．「爽やかな」２０．「サラサラな」
【００１９】
次に、コンピュータの画面は第１フエイズとなり、２つの形容詞が次々と表示される。
ユーザーは、２つの形容詞から思い付く言葉を名詞の形で１つ入力していく。思い付く名詞が次の１０個とする。「蒸し暑い」と「冷たい」に対しては、（１）季節、「ぬるい」「甘い」に対しては、（２）味、「暗い」「苦い」に対しては、（３）お店、「うすい」「すっぱい」に対しては、（４）カルピス、「ねっちりとした」「ドロドロとした」に対しては、（５）ピザ、「トローリとした」「痛い」に対しては、（６）薬、「まずい」「旨い」に対しては、（７）料理、「うるさい」「悲しい」に対しては、（８）メロディ、「嬉しい」「楽しい」に対しては、（９）映画、「爽やかな」「サラサラな」に対しては（１０）髪。
【００２０】
次に、画面は、第２フエイズとなり、２つの名詞が次々と表示される。ユーザーは、２つの名詞から思い付く名詞を１つ入力していく。第２フエイズで思い付いた名詞が次の５個とする。「季節」と「味」に対しては、（１）レストラン、「お店」と「カルピス」に対しては、（２）カフェ、「ピザ」と「薬」に対しては、（３）栄養、「料理」と「メロディ」に対しては、（４）ＣＤ、「映画」と「髪」に対しては、（５）イメージ。
【００２１】
次に画面は第３フエイズとなり、２つの名詞が次々と表示される。ユーザーは、２つの名詞から思い付く名詞を入力していく。第３フエイズで思い付いた名詞が次の３個とする。
「レストラン」と「カフェ」に対しては、（１）六本木、「栄養」と「ＣＤ」に対しては、（２）カロリー計算、「イメージ」は組み合わせる名詞がないので「ＳＩＮＧＬＥ ＷＯＲＤ」として、パスし、（３）イメージのままとする。
次に画面は第４フエイズとなり、２つの名詞が表示される。ユーザーは２つの名詞から思い付く名詞を入力する。第４フエイズで思い付いた名詞が次の２個とする。「六本木」と「カロリー計算」に対しては、（１）薬膳レストラン、「イメージ」は組み合わせる名詞がないので、「ＳＩＮＧＬＥ ＷＯＲＤ」としてパスし、（２）イメージのままとする。
【００２２】
次に画面は第５フエイズとなり、２つ名詞が表示される。ユーザーは２つの名詞から思い付く名詞を入力する。この入力した名詞即ち「薬膳レストラン」と「イメージ」から連想する名詞例えば「ダイエット」がユーザーの潜在意識を示す最終ワードとなる。
【図面の簡単な説明】
【００２３】
【図１】本発明に係るプログラムの機能ブロック説明図である。
【図２】本発明に係るプログラムのアルゴリズムを示すフローチャートである。
【符号の説明】
【００２４】
２    メッセージ表示部
４    入力言語格納部
６    第１フエイズ選択表示部
８    第１フエイズ入力言語格納部
１０  各フエイズ選択表示部
１２  各フエイズ入力言語格納部
１４  最終ワード判断部
１６  最終ワード表示部
１８  パス判断部
２０  インターネット接続部
２２  サイト検索部
２４  制御部
【図１】
0004509158.tif 000002
【図２】
0004509158.tif 000003